(57)【特許請求の範囲】
【請求項１】
前面に開口部を有し内部に加熱室、加熱手段が設けられた本体ケースと、該本体ケースの前記開口部を開閉する扉とを備え、
前記扉を、周壁を構成し上壁に下方に垂下する固定壁が設けられた意匠枠と、前記固定壁の背面側に装着される遮熱板と、上枠の下面に当接リブを有し前記意匠枠の前面側に装着されて前面ガラスを保持するガラス保持枠と、耐熱性合成樹脂からなり、前面側に一対の取っ手取付部を有し背面側の前記取っ手取付部とずれた位置に複数のスタッドが設けられて、前記ガラス保持枠の当接リブ及び前記前面ガラスの上縁の前面側に装着される取っ手支持部材と、該取っ手支持部材の前面側に取付けられる木製の取っ手と、後面ガラスが設けられ前記取っ手取付部のスタッドを介して前記意匠枠の背面側に装着される背面体とを有し、
前記意匠枠の固定壁の背面側に装着される遮熱板から前記取っ手支持部材に挿通したねじにより該取っ手支持部材に前記取っ手を固定し、前記遮熱板と背面体との間に空間部を形成したことを特徴とする加熱調理器。
【発明の詳細な説明】
【技術分野】
【０００１】
本発明は、加熱調理器に係り、より詳しくは、加熱調理器の開口部を開閉する扉に設けた取っ手の構造に関するものである。
【背景技術】
【０００２】
従来の高周波加熱調理器に、高周波発振装置と、食品を加熱する調理庫と、調理庫の前面に開閉自在に取付けられたドアハンドルを有するドア装置とを備え、ドアハンドルは金属製とし、ドア装置のドア本体とステンレス等の金属部材の間、及び金属部材と金属製のドアハンドルの間に互いに金属部材を挟み込むように、合成樹脂よりなるハンドルスペーサを介在させ、ドア本体の背面側から挿通したねじによりドアハンドルを固定することにより、ドアハンドルの強度アップとドアハンドル把手部の温度の低減をはかるようにしたものがある（例えば、特許文献１参照）。
【０００３】
【特許文献１】特開平７−１１９９８６号公報（第２−３頁、第１図）
【発明の開示】
【発明が解決しようとする課題】
【０００４】
特許文献１の高周波加熱調理器においては、ドア装置のドアハンドルの把手部を金属材料で構成し、ドア本体の背面側から挿通したねじによりドアハンドルを固定しているので、ハンドルスペーサを介在させても調理庫内の熱がドア本体からねじを介してドアハンドルに直接伝達されるため、把手部が高温になるおそれがある。
また、把手部を金属材料で構成しているため見映えが悪く、さらに、金属製の把手部に木目調の印刷を施したものもあるが、重厚さがなく、いずれの場合も手を触れたときの感触が良くないという問題があった。
さらに、ドアハンドルの把手部を金属材料で構成しているため、高周波加熱調理器を破棄処分する際の処理が面倒であった。
【０００５】
本発明は、上記の課題を解決するためになされたもので、調理により加熱室内が高温になってもその熱が伝わりにくく、その上意匠的に見映えがよく手ざわりのよい重厚味を有する木製の取っ手を有する扉を備えた加熱調理器を提供することを目的としたものである。
【課題を解決するための手段】
【０００６】
本発明に係る加熱調理器は、前面に開口部を有し内部に加熱室、加熱手段が設けられた本体ケースと、該本体ケースの前記開口部を開閉する扉とを備え、前記扉を、周壁を構成し上壁に下方に垂下する固定壁が設けられた意匠枠と、前記固定壁の背面側に装着される遮熱板と、上枠の下面に当接リブを有し前記意匠枠の前面側に装着されて前面ガラスを保持するガラス保持枠と、耐熱性合成樹脂からなり、前面側に一対の取っ手取付部を有し背面側の前記取っ手取付部とずれた位置に複数のスタッドが設けられて、前記ガラス保持枠の当接リブ及び前記前面ガラスの上縁の前面側に装着される取っ手支持部材と、該取っ手支持部材の前面側に取付けられる木製の取っ手と、後面ガラスが設けられ前記取っ手取付部のスタッドを介して前記意匠枠の背面側に装着される背面体とを有し、前記意匠枠の固定壁の背面側に装着される遮熱板から前記取っ手支持部材に挿通したねじにより該取っ手支持部材に前記取っ手を固定し、前記遮熱板と背面体との間に空間部を形成したものである。
【発明の効果】
【０００７】
本発明は、扉の取っ手を木材で構成したので意匠性を向上することができ、また、調理により加熱室が高温になっても取っ手に熱が伝わりにくく、熱くなりにくいので使い勝手のよい加熱調理器を得ることができる。
【発明を実施するための最良の形態】
【０００８】
［実施の形態１］
図１は本発明の実施の形態１に係る加熱調理器の模式的縦断面図、図２は図１の正面図である。なお、以下の説明では、図１の左側を前面、右側を背面という。
前面側に開口部２が設けられた箱状の本体ケース１内には、前面側に開口部４を有する加熱室３が設置されている。
【０００９】
加熱室３の背面側には加熱手段であるマイクロ波を発生するマグネトロン５が設置されており、加熱室３の下部にはマグネトロン５で発生したマイクロ波を加熱室３に導く導波管６が設けられている。７は加熱室３の上部に設けられたヒータである。
本体ケース１の前面側には、下部両側に設けたヒンジ（図示せず）により、開口部２を開閉する扉１０が設けられており、また、扉１０と並んで操作部８が設置されている。
【００１０】
次に、本体ケース１の開口部２を開閉する扉１０について、図３の正面図、図４の分解斜視図により説明する。
扉１０は、周壁を構成する意匠枠１１と、この意匠枠１１の前面側に装着されて前面ガラス３１を保持するガラス保持枠２１と、ガラス保持枠２１の前面側上部に装着される取っ手支持部材４１及びこの取っ手支持部材４１に取付けられる木製の取っ手６１と、意匠枠１１の背面側上部に取付けられる遮熱板６５と、後面ガラスが設けられ意匠枠１１の背面側に装着される背面体７１等とからなっている。
【００１１】
意匠枠１１は、例えば耐熱性合成樹脂からなり、前面側に大きな開口部１２を有し、上壁の前面側には段部１３を介して平板状の固定壁１４が垂下しており一方の側（図の右側）の側壁の前面側はこの固定壁１４と同一平面に形成されている。そして、この固定壁１４には複数の貫通穴１５ａ〜１５ｅが設けられており、貫通穴１５ａと１５ｂ、１５ｄと１５ｅ間には四角形状の貫通穴１６ａ，１６ｂが設けられている。また、下壁の上面には、係止爪を有し下壁の内壁面との間に所定のすき間ｇ（このすき間ｇはガラス保持枠２１の下部に設けたリブ２６の厚みに対応する）を隔てて、背面体７１の係止部１７ａ，１７ｂが設けられており、また、他方の側壁（図の左側）の内壁にはガラス保持枠２１を支持する支持腕１８が設けられている。なお、図示してないが、上壁の下面にも背面体７１の係止部が設けられている。
【００１２】
ガラス保持枠２１は、例えば耐熱性合成樹脂からなり意匠枠１１の前面側に装着しうる大きさで、一方の側（図の右側）が開口されたほぼコ字状に形成されている。そして、上枠の下面には、段部を介して背面側が意匠枠１１の固定壁１４に当接し、前面側に取っ手支持部材４１が当接する当接リブ２２が設けられており、この当接リブ２２には意匠枠１１の固定壁１４に設けた貫通穴１５ａ，１５ｃ，１５ｅに対応してほぼ逆Ｕ字状の切除部２３ａ〜２３ｃが設けられ、また、貫通穴１５ｂ，１５ｄと貫通穴１６ａ，１６ｂに対応して横方向に長い切除部２４ａ，２４ｂが設けられている。
【００１３】
また、下枠及び側枠には、内壁面からすき間ｇ1（このすき間ｇ1は、前面ガラス３１の板厚に対応する）を隔てて保持リブ２５ａ〜２５ｃが設けられており、下枠の下面には意匠枠１１の下壁の内壁面と係止部１７ａ，１７ｂとの間に形成されたすき間ｇに挿入されるリブ２６が設けられている。なお、下枠の自由端には前面側に折曲げられて前面ガラス３１の脱出を防止するためのストッパ２７が設けられている。
前面ガラス３１はコーナ部がカット（以下カット部３２という）されており、このカット部３２の形状は円弧状、段状等、適宜選択することができる。
【００１４】
取っ手支持部材４１は、例えば耐熱性合成樹脂からなり、ガラス保持枠２１の横方向の長さとほぼ等しく、意匠枠１１の固定壁１４の上下方向の幅とほぼ等しいか、これより若干狭い幅で、一端（ガラス支持枠２１の開口部側）に内側に折曲げられて、前面ガラス３１の脱出を防止するストッパ４３が設けられた本体部４２を有し、その前面側には意匠枠１１の固定壁１４に設けた貫通穴１５ｂ，１５ｄ間の距離より若干長い範囲に突出部４４が設けられており、突出部４４の前面側の貫通穴１５ｂ，１５ｄと対応した位置には、貫通穴を有する取っ手取付部４５ａ，４５ｂが突設され、両取っ手取付部４５ａ，４５ｂの間には空間部（空気層）４６が形成されている。
【００１５】
また、本体部４２の背面側には、図５に示すように、取っ手取付部４５ａ，４５ｂの外周に凹陥部４７ａ，４７ｂが形成され、凹陥部４７ａ，４７ｂには、取っ手取付部４５ａ，４５ｂの貫通穴と連通する貫通穴を有し、本体部４１の背面から若干突出したガイド部４８ａ，４８ｂが突設されている。４９ａ，４９ｂ，４９ｃは本体部４２の背面側に、意匠枠１１の固定壁１４の貫通穴１５ａ，１５ｃ，１５ｅに挿入しうるように突設された背面部材６１の固定スタッド、５０ａ，５０ｂは先端部に係止爪を有し、固定壁１４の貫通穴１６ａ，１６ｂに挿通され、後述の遮熱板６５の係止穴６７ａ，６７ｂに係止する係止片である。
【００１６】
６１は木材からなり、取っ手支持部材４１の本体部４２とほぼ同じ長さの取っ手で、背面側には図５に示すように、取っ手支持部材４１の取っ手取付部４５ａ，４５ｂに対応して、ナット６２ａ，６２ｂが埋め込まれている。６３は長手方向の中央部近傍に設けた手掛け部である。なお、この取っ手６１は図示の形状に限定するものではなく、木製であれば、断面円形、楕円形等、他の形状であってもよい。
【００１７】
意匠枠１１の固定壁１４の背面側に装着される遮熱板６５は、例えば、金属板や耐熱性合成樹脂板により取っ手支持部材４１の本体部４２とほぼ同じ長さに形成されており、意匠枠１１の固定壁１４に設けた貫通穴１５ｂ，１５ｄに対応して貫通穴６６ａ，６６ｂが設けられ、また貫通穴１５ｃに対応して上部が開口した切除部６６ｃが設けられている。６７ａ，６７ｂは上記の固定壁１４の貫通穴１６ａ，１６ｂに対応して設けられて取っ手支持部材４１の係止片５０ａ，５０ｂが係止する係止穴である。
【００１８】
背面体７１は、例えば、金属板を曲げ加工して意匠枠１１の背面側に挿入しうる大きさに形成されており、周壁７２は図６に示すように、前面側にほぼ水平に折曲げたのち上方に垂直に折曲げられ、ついで背面側にほぼ水平に折曲げられたのちさらに下方に折曲げられて断面ほぼ四角形状に形成されており、前面側には凹陥部７３を介して僅かに前面側に突出した四角形状の窓部７４が設けられており、この窓部７４の前面側は多数の小孔７５が設けられた網状又はパンチングメタル状の材料によって覆われ、また、窓部７４の背面側には、背面ガラス７６（図６参照）が取付けられている。なお、上枠の上面と下枠の下面には、意匠枠１１に設けた係止部１７ａ，１７ｂに係止する係止穴７７ａ，７７ｂ（下枠には図示してない）が設けられており、上枠の前面側には取っ手支持部材４１の固定スタッド４９ａ〜４９ｃに対応して貫通穴７８ａ〜７８ｃが設けられている。
【００１９】
次に、上記のような各部からなる扉１０の組立手順の一例について説明する。
先ず、意匠枠１１の前面側にガラス保持枠２１を位置させ、その下枠の下面に設けたリブ２６を意匠枠１１の下壁の内壁面と係止部１７ａ、１７ａとの間に形成されたすき間ｇに挿入し、側枠を支持腕１８上に載置して当接リブ２２を固定壁１４上に載置する。
次に、前面ガラス３１を意匠枠１１の前面側に位置させ、その下縁及び側縁をガラス保持枠２１の下枠、側枠とリブ２５ａ〜２５ｃとの間に形成されたすき間ｇ1に挿入し、上縁部を意匠枠１１の固定壁１４上に載置する。このとき、ガラス保持枠２１の当接リブ２２の下縁と前面ガラス３１の上縁部との間にはすき間が形成され、このすき間に、意匠枠１１の固定壁１４に設けた貫通穴１５ａ〜１５ｅや貫通穴１６ａ，１６ｂが位置する。次に、意匠枠１１の背面から固定壁１４に遮熱板６５を当接する。
【００２０】
ついで、取っ手支持部材４１を、取っ手取付部４５ａ，４５ｂを前面側に位置させて、ガラス保持枠２１の当接リブ２２と前面ガラス３１の上縁部上に載置し、その固定スタッド４９ａ〜４９ｃを意匠枠１１の貫通穴１５ａ，１５ｃ，１５ｅに挿入すると共に、その係止片５０ａ，５０ｂを意匠枠１１の貫通穴１６ａ，１６ｂに挿通して遮熱板６５の係止穴６７ａ，６７ｂに係止させ、仮止めする。このとき、遮熱板６５の貫通穴６６ａ，６６ｂ、意匠枠１１の貫通穴１５ｂ，１５ｄ、及び取っ手支持部材４１のガイド部４８ａ，４８ｂと取っ手取付部４５ａ，４５ｂの穴は、同一線上に位置する。
【００２１】
ついで、意匠体１１の前面側から取っ手支持部材４１の取っ手取付部４５ａ，４５ｂに取っ手６１を当接し、そのナット６２ａ，６２ｂを取っ手取付部４５ａ，４５ｂの穴と整合させ、遮熱板６５の貫通穴６６ａ，６６ｂから挿通したねじ８１をナット６２ａ，６２ｂに螺入し、固定する。
【００２２】
次に、意匠枠１１の背面側に背面体７１を嵌入し、その上枠及び下枠に設けた係止穴７７ａ，７７ｂを意匠枠１１に設けた係止部１７ａ，１７ｂに係止させる。また、上枠に設けた貫通穴７８ａ〜７８ｃに背面側からねじ８２（図６参照）を挿入して取っ手支持部材４１の固定スタッド４９ａ〜４９ｃに螺入し、固定する。これにより扉１０の組立が終了する。このときの状態を図３に示す。
このようにして組立てられた扉１０は、図１，図２に示すように、下部両側に設けたヒンジ（図示せず）により、本体ケース１の開口部２に開閉自在に取付けられる。
【００２３】
上記のように扉１０に設けられた取っ手６１は、図６に示すように、取っ手支持部材４１と遮熱板６５とにより意匠枠１１の固定壁１４と前面ガラス３１を挾持し、遮熱板６５の背面側から挿通したねじ８１を、取っ手支持部材４１に突設した取っ手取付部４５ａ，４５ｂの先端部に当接した木製の取っ手６１に埋込んだナット６２に螺入して固定したので、前面ガラス３１が動いたり、取っ手６１ががたついたりすることがない。
【００２４】
また、背面体７１の外周を前面側にほぼ四角形状に折り曲げて周壁７２を形成し、この周壁７２の前面側を取っ手支持部材４１の背面に設けた固定スタッド４９にねじ止めして固定し、遮熱板６５との間に空間部Ｓを形成したので、従来のように取っ手６１を固定するねじ８１が背面体７１に直接接触することがなく、また、意匠枠１１とねじ８１との間には遮熱板６５が介装されているため、調理によって高温となった加熱室３内の熱の取っ手６１への伝達が大幅に低減され、その上取っ手６１を木材で構成したので、取っ手６１が熱くなることがない。さらに、木製の取っ手６１に直接熱が当たりにくいので、反りやひび割れの促進を防止することができる。また、遮熱板６５は座金の役目も果すので、ねじ８１の緩みを防止することができる。さらに、取っ手６１を木材で構成したので、加熱調理器を廃棄処分するときの取っ手の処理が簡単で、環境にやさしい加熱調理器を得ることができる。
【００２５】
このように、本実施の形態に係る加熱調理器は、扉１０の取っ手６１に加熱室３の熱が伝達して熱くなることがないため、使い勝手がよいばかりでなく、取っ手６１を木材で構成したので重厚で手ざわりがよく、加熱調理器のデザイン性を向上することができる。
【００２６】
［実施の形態２］
図７は本実施の形態２に係る加熱調理器の扉の要部の断面図である。なお、実施の形態１と同じ部分にはこれと同じ符号を付し、説明を省略する。
本実施の形態は、取っ手支持部材４１のガイド体４８ａ，４８ｂ内にねじ８１を挿入して取っ手取付部４５ａ，４５ｂに取っ手６１を固定すると共に、凹陥部４７ａ，４７ｂの近傍において本体部４２の背面に、係止爪を有する各上下一対の係止片５１ａ，５１ｂをそれぞれ設け、これに対応して遮熱板６５に設けた係止穴（図示せず）にそれぞれ係止片５１ａ，５１ｂを係止させて、取っ手支持部材４１を意匠枠１１に取付けるようにしたものである。
【００２７】
本実施の形態の効果は、実施の形態１の場合とほぼ同様であるが、ねじ８１を取っ手支持部材４１のガイド体４８ａ，４８ｂ内に挿入したので、ねじ８１と背面体７１との距離をさらに離すことができるので、ねじ８１への伝熱をさらに低減することができる。
【００２８】
上記の説明では、図示の高周波加熱調理器に本発明を実施した場合を示したが、これに限定するものではなく、例えば、扉１０の上方の操作部を設けた高周波加熱調理器、加熱手段にヒータを用いた加熱調理器の扉や、加熱調理器のロースタの扉などにも本発明に係る木製の取っ手を取付けることができる。
【図面の簡単な説明】
【００２９】
【図１】本発明の実施の形態１に係る加熱調理器の模式的縦断面図である。
【図２】図１の正面図である。
【図３】図２の扉の正面図である。
【図４】図３の扉の分解斜視図である。
【図５】図４の取っ手支持部材及び取っ手の背面図である。
【図６】図１の扉の要部の拡大図である。
【図７】本発明の実施の形態２に係る加熱調理器の扉の要部の断面図である。
【符号の説明】
【００３０】
１  本体ケース、２  開口部、３  加熱室、１０  扉、１１  意匠枠、１４  固定壁、２１  ガラス保持枠、２２  当接リブ、３１  前面ガラス、４１  取っ手支持部材、４５ａ，４５ｂ  取っ手取付部、４９ａ，４９ｂ  固定スタッド、５０ａ，５０ｂ、５１ａ，５１ｂ  係止片、６１  取っ手、６５  遮熱板、７１  背面体、７２  周壁、７６  背面ガラス。
【図１】
0004624280.tif 000002
【図２】
0004624280.tif 000003
【図３】
0004624280.tif 000004
【図４】
0004624280.tif 000005
【図５】
0004624280.tif 000006
【図６】
0004624280.tif 000007
【図７】
0004624280.tif 000008